(57)【要約】【課題】複数の表示装置を用いて画像を表示する表示システムにおいて、各表示装置の配置状態に応じた最適な画像表示を行うとともに利便性を向上させる。【解決手段】デイジーチェーン接続された複数の表示装置１０のうち表示装置１０ａは、映像出力装置２００から取得される映像信号Ｄｖに対して、複数の表示装置１０の配置状態を示す配置情報と、複数の表示装置１０のそれぞれの機種情報とに基づいて所定の画像処理を行って、複数の表示装置１０で構成される表示面１１０に表示する画像データＤｓを生成する画像処理部１１ａと、画像処理部１１ａにより生成される画像データＤｓを、表示装置１０ｂに出力する転送処理部１６ａと、を備える。【選択図】図２
2020148991.tif 000002
【特許請求の範囲】
【請求項１】
互いに接続された複数の表示装置のうち、一又は複数の映像出力装置から出力される一又は複数の映像信号が入力される表示装置であって、
前記映像出力装置から取得される前記映像信号に対して、前記複数の表示装置の配置状態を示す配置情報と、前記複数の表示装置のそれぞれの機種情報とに基づいて所定の画像処理を行って、前記複数の表示装置で構成される表示面に表示する表示画像データを生成する画像処理部と、
前記画像処理部により生成される前記表示画像データを、前記複数の表示装置のうち下流側の表示装置に出力する転送処理部と、
を備える表示装置。
【請求項２】
前記画像処理部は、前記映像信号に基づいて前記表示装置に対応する分割画像データを生成し、前記分割画像データに対して、分割画像を拡大して表示するためのエンラージ処理を実行する、
請求項１に記載の表示装置。
【請求項３】
前記画像処理部は、前記映像信号に対応する表示エリアに含まれる表示画像が、隣接する前記表示装置の境界部分における額縁に重なる場合に、前記分割画像を前記額縁の幅に対応して拡大する額縁補正処理を実行する、
請求項２に記載の表示装置。
【請求項４】
前記転送処理部は、前記下流側の表示装置から、画像の表示処理の準備が完了したことを示す準備完了通知を取得した場合に、前記下流側の表示装置に対して前記表示画像データに基づく分割画像の表示処理を指示する、
請求項１から請求項３のいずれか１項に記載の表示装置。
【請求項５】
前記転送処理部は、前記表示画像データのうち前記下流側の表示装置が表示する表示エリアの情報を示す表示エリア情報を、前記下流側の表示装置に出力する、
請求項４に記載の表示装置。
【請求項６】
複数の映像出力装置のそれぞれから複数の映像信号を取得し、
前記画像処理部は、前記複数の映像信号からなる前記表示画像データを生成する、
請求項１から請求項５のいずれか１項に記載の表示装置。
【請求項７】
前記複数の映像信号からなる画像を前記複数の表示装置に表示させたときに前記複数の表示装置のうち少なくともいずれか一つにおいて表示画面に相当する空白領域が生じる場合に、前記画像処理部は、前記空白領域を生じさせない処理を実行する、
請求項６に記載の表示装置。
【請求項８】
前記画像処理部は、前記複数の映像信号のうちいずれかの映像信号に対応する画像の一部が前記空白領域に重なるように、前記画像を拡大する処理又は前記画像の表示位置を変更する処理を実行する、
請求項７に記載の表示装置。
【請求項９】
前記転送処理部は、前記複数の表示装置に対して、前記表示画像データに基づく分割画像を表示する際の表示倍率の情報を送信し、
前記転送処理部は、１画面で表示可能な特定方向の入力画像数に対する、前記特定方向に並べられた前記表示装置の数の割合を前記表示倍率をとして算出する、
請求項６から請求項８のいずれか１項に記載の表示装置。
【請求項１０】
前記複数の表示装置は、デイジーチェーン接続されている、
請求項１から請求項９のいずれか１項に記載の表示装置。
【請求項１１】
一又は複数の映像出力装置から出力される一又は複数の映像信号が入力される第１表示装置を含む互いに接続された複数の表示装置を備える表示システムであって、
前記第１表示装置は、
前記映像出力装置から取得される前記映像信号に対して、前記複数の表示装置の配置状態を示す配置情報と、前記複数の表示装置のそれぞれの機種情報とに基づいて所定の画像処理を行って、前記複数の表示装置で構成される表示面に表示する表示画像データを生成する画像処理部と、
前記画像処理部により生成される前記表示画像データを、前記第１表示装置に接続される下流側の前記表示装置に出力する転送処理部と、
を備える表示システム。
【請求項１２】
互いに接続された複数の表示装置のうち、一又は複数の映像出力装置から出力される一又は複数の映像信号が入力される表示装置における画像の表示方法であって、
前記映像出力装置から取得される前記映像信号に対して、前記複数の表示装置の配置状態を示す配置情報と、前記複数の表示装置のそれぞれの機種情報とに基づいて所定の画像処理を行って、前記複数の表示装置で構成される表示面に表示する表示画像データを生成する画像処理ステップと、
前記画像処理ステップにより生成される前記表示画像データを、前記複数の表示装置のうち下流側の表示装置に出力する転送ステップと、
を一又は複数のプロセッサーにより実行する表示方法。
【発明の詳細な説明】
【技術分野】
【０００１】
本発明は、複数の表示装置を用いて画像を表示する表示装置、表示システム及び表示方法に関する。
【背景技術】
【０００２】
従来、水平方向及び垂直方向に配置された複数の表示装置（ディスプレイ）を用いて、映像信号出力装置から出力される映像信号に応じた画像を表示する表示システム（マルチディスプレイシステムともいう。）が知られている（例えば特許文献１参照）。
【０００３】
例えば特許文献１には、映像信号出装置が、複数の表示装置のそれぞれに対応する映像信号を生成し、生成した各映像信号を各表示装置に個別に送信するマルチディスプレイシステムが提案されている。例えば、映像信号出力装置は、複数の表示装置の配置状態、各表示装置の額縁の幅などの情報に基づいて、隣接する表示装置の境界に生じる隙間を補正する処理（額縁補正処理）を行って映像信号を生成する。
【先行技術文献】
【特許文献】
【０００４】
【特許文献１】特開２０１２−１５９７１６号公報
【発明の概要】
【発明が解決しようとする課題】
【０００５】
しかし、前記従来の技術では、映像信号出力装置が各表示装置に対応する映像信号を生成する構成であるため、複数の表示装置の配置状態が変更される度に、映像信号出力装置が映像信号を生成し直す必要がある。このため、表示システムの構築に手間が掛かり、運用し難いという問題が生じる。
【０００６】
本発明の目的は、複数の表示装置を用いて画像を表示する表示システムにおいて、各表示装置の配置状態に応じた最適な画像表示を行うとともに利便性を向上させることが可能な表示装置、表示システム及び表示方法を提供することにある。
【課題を解決するための手段】
【０００７】
本発明の一の態様に係る表示装置は、互いに接続された複数の表示装置のうち、一又は複数の映像出力装置から出力される一又は複数の映像信号が入力される表示装置であって、前記映像出力装置から取得される前記映像信号に対して、前記複数の表示装置の配置状態を示す配置情報と、前記複数の表示装置のそれぞれの機種情報とに基づいて所定の画像処理を行って、前記複数の表示装置で構成される表示面に表示する表示画像データを生成する画像処理部と、前記画像処理部により生成される前記表示画像データを、前記複数の表示装置のうち下流側の表示装置に出力する転送処理部と、を備える。
【０００８】
本発明の他の態様に係る表示システムは、一又は複数の映像出力装置から出力される一又は複数の映像信号が入力される第１表示装置を含む互いに接続された複数の表示装置を備える表示システムであって、前記第１表示装置は、前記映像出力装置から取得される前記映像信号に対して、前記複数の表示装置の配置状態を示す配置情報と、前記複数の表示装置のそれぞれの機種情報とに基づいて所定の画像処理を行って、前記複数の表示装置で構成される表示面に表示する表示画像データを生成する画像処理部と、前記画像処理部により生成される前記表示画像データを、前記第１表示装置に接続される下流側の前記表示装置に出力する転送処理部と、を備える。
【０００９】
本発明の他の態様に係る表示方法は、互いに接続された複数の表示装置のうち、一又は複数の映像出力装置から出力される一又は複数の映像信号が入力される表示装置における画像の表示方法であって、前記映像出力装置から取得される前記映像信号に対して、前記複数の表示装置の配置状態を示す配置情報と、前記複数の表示装置のそれぞれの機種情報とに基づいて所定の画像処理を行って、前記複数の表示装置で構成される表示面に表示する表示画像データを生成する画像処理ステップと、前記画像処理ステップにより生成される前記表示画像データを、前記複数の表示装置のうち下流側の表示装置に出力する転送ステップと、を一又は複数のプロセッサーにより実行する表示方法である。
【発明の効果】
【００１０】
本発明によれば、複数の表示装置を用いて画像を表示する表示システムにおいて、各表示装置の配置状態に応じた最適な画像表示を行うとともに利便性を向上させることができる。
【図面の簡単な説明】
【００１１】
【図１】図１は、本発明の実施形態に係る表示システムの概略構成を示す図である。
【図２】図２は、本発明の実施形態に係る表示システムの具体的構成を示すブロック図である。
【図３】図３は、本発明の実施形態に係る表示システムに利用される機種情報の一例を示す図である。
【図４】図４は、本発明の実施形態に係る表示装置において画像データの生成過程を示す図である。
【図５】図５は、本発明の実施形態に係る表示装置（親機）における画像表示処理の手順の一例を示すフローチャートである。
【図６】図６は、本発明の実施形態に係る表示装置（子機）における画像表示処理の手順の一例を示すフローチャートである。
【図７】図７は、本発明の実施形態に係る表示装置において画像データの生成過程を示す図である。
【図８】図８は、本発明の実施形態に係る表示装置において画像データの生成過程を示す図である。
【図９】図９は、本発明の実施形態に係る表示装置において画像データの生成過程を示す図である。
【図１０】図１０は、本発明の実施形態に係る表示装置において画像データの生成過程を示す図である。
【発明を実施するための形態】
【００１２】
以下、添付図面を参照しながら、本発明の実施形態について説明する。なお、以下の実施形態は、本発明を具体化した一例であって、本発明の技術的範囲を限定する性格を有さない。
【００１３】
図１は、本発明の実施形態に係る表示システム１００の概略構成を示す図である。
【００１４】
表示システム１００は、複数の表示装置１０と、一又は複数の映像出力装置２００とを含んで構成されている。複数の表示装置１０は、水平方向及び垂直方向に並んで配置される。複数の表示装置１０は、映像信号Ｄｖが上流から下流に送信されるようにループ状にデイジーチェーン接続されている（図２参照）。図１では、一例として、４台の表示装置１０ａ、１０ｂ、１０ｃ、１０ｄを示している。図１では、表示装置１０ａが映像出力装置２００から出力される映像信号Ｄｖが入力される最上流に位置する親機であり、表示装置１０ｂ、１０ｃ、１０ｄが表示装置１０ａから転送される映像信号がこの順に入力される子機である。表示装置１０の台数は限定されない。また、図２では、４台の映像出力装置２００（ＰＣ１、ＰＣ２、ＰＣ３、ＰＣ４）を示している。映像出力装置２００の台数は限定されない。
【００１５】
表示システム１００の表示面１１０を座標平面とした場合、表示装置１０ａは、（水平，垂直）＝（１，１）に配置され、表示装置１０ｂは、（水平，垂直）＝（１，２）に配置され、表示装置１０ｃは、（水平，垂直）＝（２，２）に配置され、表示装置１０ｄは、（水平，垂直）＝（２，１）に配置される。表示面１１０は、４台の表示装置１０それぞれの表示面により構成されているが、上下左右に隣接する表示装置１０の境界部分では、各表示装置１０の額縁に相当する隙間が生成される。
【００１６】
なお図示は省略するが、表示装置１０ａ、１０ｂ、１０ｃ、１０ｄのそれぞれには、複数のデータ信号線（ソースライン）、複数のゲート信号線（走査信号線）、各データ信号線及び各ゲート信号線の交差部近傍に配置される複数の薄膜トランジスタ（ＴＦＴ）、画素電極、共通電極（コモン電極）、液晶層などが設けられる。
【００１７】
映像出力装置２００は、例えばパーソナルコンピュータ（ＰＣ）、画像再生装置などによって構成される。映像出力装置２００は、表示面１１０に表示させる画像を映像信号Ｄｖとして出力する。
【００１８】
表示システム１００は、映像出力装置２００から出力される映像信号Ｄｖに対応する各フレームの画像を、４台の表示装置１０ａ、１０ｂ、１０ｃ、１０ｄそれぞれの表示部で構成される表示面１１０に表示する。また、表示システム１００は、例えば、１台の映像出力装置２００から出力される映像信号Ｄｖの１枚のフレーム画像を４分割して表示装置１０ａ、１０ｂ、１０ｃ、１０ｄに表示したり、４台の映像出力装置２００のそれぞれから出力される各映像信号Ｄｖの４枚のフレーム画像を表示装置１０ａ、１０ｂ、１０ｃ、１０ｄのそれぞれに表示したりすることが可能である。
【００１９】
例えば、一つのフレームの画像を上下左右の領域に４分割した場合、表示装置１０ａは、左上の分割画像を表示面１１０の左上の領域（１，１）に表示し、表示装置１０ｂは、右上の分割画像を表示面１１０の右上の領域（１，２）に表示し、表示装置１０ｃは、右下の分割画像を表示面１１０の右下の領域（２，２）に表示し、表示装置１０ｄは、左下の分割画像を表示面１１０の左下の領域（２，１）に表示する。各分割画像は、解像度が同一であってもよいし異なっていてもよい。
【００２０】
また、表示システム１００では、親機である表示装置１０ａが、複数の表示装置１０の台数、配置状態（配置位置）などの配置情報と、各表示装置１０の大きさ（画素数）、額縁の幅などの機種情報とに基づいて、映像信号Ｄｖに所定の画像処理を施して前記分割画像を生成する。前記画像処理には、隣接する表示装置１０の境界に生じる隙間を補正する処理（額縁補正処理）、分割画像を拡大表示（エンラージ表示）するための処理（エンラージ処理）などが含まれる。なお、前記額縁補正処理及び前記エンラージ処理は、周知の技術を適用することができる。
【００２１】
図２は、本発明の実施形態に係る表示システム１００の具体的構成を示すブロック図である。表示装置１０ａ、１０ｂ、１０ｃ、１０ｄは、映像信号Ｄｖが上流から下流に送信されるようにループ状にデイジーチェーン接続されている。
【００２２】
表示装置１０ａ（本発明の表示装置、第１表示装置の一例）は、画像処理部１１ａ（本発明の第１画像処理部の一例）、メモリ１２ａ、記憶部１３ａ、駆動制御部１４ａ、表示部１５ａ（本発明の第１表示部の一例）、及び転送処理部１６ａを含んでいる。表示装置１０ａの入力端子Ｔｉａには、映像出力装置２００から出力される映像信号Ｄｖが入力される。ここでは、１台の映像出力装置２００（ＰＣ１）から親機である表示装置１０ａに映像信号Ｄｖが入力される。
【００２３】
映像出力装置２００は、表示装置１０ａ、１０ｂ、１０ｃ、１０ｄに表示させる画像（フレーム画像）を映像信号Ｄｖとして、表示装置１０ａに送信する。
【００２４】
映像出力装置２００から表示装置１０ａに入力された映像信号Ｄｖは、画像処理部１１ａに入力される。
【００２５】
画像処理部１１ａは、映像信号Ｄｖをメモリ１２ａ（例えばフレームメモリ）に記憶する。具体的には、画像処理部１１ａは、映像出力装置２００から受信する映像信号Ｄｖを順次、メモリ１２ａに転送する。メモリ１２ａには、１フレーム分の映像信号Ｄｖ（入力画像データ）が記憶される。
【００２６】
また、画像処理部１１ａは、前記入力画像データに対して各種の画像処理を実行する。具体的には、画像処理部１１ａは、メモリ１２ａの前記入力画像データから、表示装置１０ａが表示する分割画像ａに対応するデータ（分割画像データ）と、表示装置１０ｂが表示する分割画像ｂに対応するデータ（分割画像データ）と、表示装置１０ｃが表示する分割画像ｃに対応するデータ（分割画像データ）と、表示装置１０ｄが表示する分割画像ｄに対応するデータ（分割画像データ）とを切り取って、当該分割画像データに所定の画像処理を施して、画像データＤｓを生成する。画像データＤｓは、本発明の表示画像データの一例である。
【００２７】
例えば、画像処理部１１ａは、前記各分割画像データに対して、分割画像ａ〜ｄのそれぞれを拡大表示（エンラージ表示）するための処理（エンラージ処理）を行う。具体的には、画像処理部１１ａは、ユーザによりエンラージ表示の機能を有効にする設定が行われた場合に、前記エンラージ処理を行う。画像処理部１１ａは、前記エンラージ処理を施して、画像データＤｓを生成する。なお、表示システム１００のユーザは、設定画面において、エンラージ表示の機能を有効又は無効にする操作を行うことが可能となっている。ユーザは、前記エンラージ表示機能について、全ての表示装置に同一の内容（有効又は無効）を設定可能であってもよいし、表示装置ごとに有効又は無効を個別に設定可能であってもよい。例えば、ユーザは、設定画面において、水平方向に並べられた表示装置１０の台数（分割数）と、垂直方向に並べられた表示装置１０の台数（分割数）とを設定する。
【００２８】
また画像処理部１１ａは、前記各分割画像データに対して、分割画像ａ〜ｄのそれぞれの額縁領域に対応する部分を補正する処理（額縁補正処理）を行う。具体的には、画像処理部１１ａは、映像信号Ｄｖに対応する表示エリアに含まれる表示画像が、隣接する表示装置１０の境界部分における額縁に重なる場合に、前記分割画像を前記額縁の幅に対応して拡大する額縁補正処理を実行する。例えば、画像処理部１１ａは、ユーザにより額縁補正処理の機能を有効にする設定が行われた場合に、前記額縁補正処理を行う。画像処理部１１ａは、前記額縁補正処理を施して、画像データＤｓを生成する。なお、表示システム１００のユーザは、設定画面において、額縁補正処理の機能を有効又は無効にする操作を行うことが可能となっている。ユーザは、前記額縁補正処理の機能について、全ての表示装置に同一の内容（有効又は無効）を設定可能であってもよいし、表示装置ごとに有効又は無効を個別に設定可能であってもよい。例えば、ユーザは、設定画面において、各表示装置１０の上下左右の各方向の額縁補正処理の要否を設定し、各表示装置１０の上下左右の額縁幅（ベゼル幅）を設定する。前記額縁幅は、サーバ（不図示）に記憶される機種情報Ｄ１に登録されており、ユーザは機種情報Ｄ１を参照して額縁幅を設定可能である。前記サーバは、各表示装置１０にネットワークを介して接続された物理的サーバ装置であってもよいし、仮想サーバ装置（クラウドサーバ）であってもよい。なお、機種情報Ｄ１は、各表示装置１０の記憶部１３に記憶されてもよい。
【００２９】
図３には、機種情報Ｄ１の一例を示している。機種情報Ｄ１には、機種（表示装置１０）ごとに、「機種ＩＤ」、「機種名」、「額縁幅（ベゼル枠幅）」、「表示エリア」などの情報が関連付けられて登録されている。「機種ＩＤ」は、表示装置１０の識別情報であり、「機種名」は、表示装置１０の名称である。「額縁幅」は、表示エリアの外側端部から外枠（ベゼル枠）の外側端部までの距離（ベゼル枠幅）である。表示装置１０が隣接して配置される場合、表示面のうち境界部分の額縁幅分だけ非表示エリアとなる。「表示エリア」は、画像を表示する範囲であり、例えば四隅の座標で表される。なお「表示エリア」は、基準となるＸ座標及びＹ座標（表示開始位置）と基準座標からの高さ及び幅とで表されてもよい。
【００３０】
なお、画像処理部１１ａは、映像出力装置２００から受信した映像信号Ｄｖに前記エンラージ処理及び前記額縁補正処理を施した後に、画像データＤｓをメモリ１２ａに記憶してもよい。また、画像処理部１１ａは、生成した画像データＤｓから自装置である表示装置１０ａで表示する分割画像ａに対応する分割画像データＤａを取得して、駆動制御部１４ａに出力する。具体的には、画像処理部１１ａは、画像データＤｓから、表示装置１０ａに対応する表示エリア情報（図３の「Ｅａ」）に対応する画像データ（分割画像データ）を切り取って分割画像データＤａを生成し、生成した分割画像データＤａを駆動制御部１４ａに出力する。
【００３１】
このように、画像処理部１１ａは、映像出力装置２００から取得される映像信号Ｄｖに対して、複数の表示装置１０の配置状態を示す前記配置情報と、複数の表示装置１０のそれぞれの機種情報Ｄ１とに基づいて所定の画像処理を行って、複数の表示装置１０で構成される表示面１１０に表示する画像データＤｓを生成する。その他、画像処理部１１ａは、生成した分割画像データＤａについて、表示タイミングを調整するための処理（遅延処理など）を行う。
【００３２】
画像処理部１１ａは、映像信号Ｄｖ（入力画像データ）に対して、必要に応じて上述の信号処理（エンラージ処理、額縁補正処理など）を施して生成した画像データＤｓを、メモリ１２ａに保存する。
【００３３】
ここで、画像データＤｓの具体例を挙げる。図４には、映像信号Ｄｖから画像データＤｓが生成されるまでの生成過程を示している。ここでは、映像出力装置２００から「あいうえお」の画像に対応する映像信号Ｄｖが表示装置１０ａ入力される場合を示している。
【００３４】
図４の（ａ）は、表示システム１００において、入力ソース（画面設定）が１画面（ＰＣ１）に設定されている場合を示している。この場合、１台の映像出力装置２００（ＰＣ１）から出力される映像信号Ｄｖが表示装置１０ａに入力される。
【００３５】
次に、画像処理部１１ａは、表示システム１００を構成する複数の表示装置１０の配置情報と機種情報とを取得して、映像信号Ｄｖに対応する入力画像データに対してエンラージ処理及び額縁補正処理を行う。例えば図４の（ｂ）に示すように、画像処理部１１ａは、前記入力画像データをエンラージ処理した後、各表示装置１０ｂ、１０ｃ、１０ｄの表示エリアに対応する範囲を切り取る。「Ｌａ」は、表示装置１０ａに対応する切り取り画像を示し、「Ｌｂ」は、表示装置１０ｂに対応する切り取り画像を示し、「Ｌｃ」は、表示装置１０ｃに対応する切り取り画像を示し、「Ｌｄ」は、表示装置１０ｄに対応する切り取り画像を示している。
【００３６】
次に、画像処理部１１ａは、切り取り画像Ｌａ、Ｌｂ、Ｌｃ、Ｌｄを、分割エリアＲａ、Ｒｂ、Ｒｃ、Ｒｄに収まるように額縁幅の分だけ拡大（額縁補正処理）する（図４の（ｃ）参照）。ここでは、図４の（ｃ）には一例として、分割エリアＲａのみ示している。画像処理部１１ａは、切り取り画像Ｌａ、Ｌｂ、Ｌｃ、Ｌｄを、Ｘ方向及びＹ方向に額縁幅の分だけ拡大する。各分割エリアは、表示エリアにおいて、図４の（ａ）に示す境界部分の額縁エリアＡＲの中心まで拡大させたエリアである。
【００３７】
最後に、画像処理部１１ａは、図４の（ｄ）に示すように、分割エリアＲａ、Ｒｂ、Ｒｃ、Ｒｄのそれぞれに対応する分割画像データＤａ、Ｄｂ、Ｄｃ、Ｄｄからなる画像データＤｓを生成する。
【００３８】
なお、表示装置１０ａが、複数の映像出力装置２００（ＰＣ１〜ＰＣ４）のそれぞれから複数の映像信号Ｄｖ１〜Ｄｖ４を取得する場合、画像処理部１１ａは、複数の映像信号Ｄｖ１〜Ｄｖ４からなる画像データＤｓを生成する。
【００３９】
記憶部１３ａには、各種の設定情報が記憶される。例えば、記憶部１３ａには、表示システム１００の表示面１１０に対する、表示装置１０ａの配置位置（（水平、垂直）＝（１，１））の情報が記憶される。また記憶部１３ａには、ユーザにより設定される設定情報が記憶される。例えば、記憶部１３ａには、エンラージ設定情報、額縁補正設定情報などが記憶される。また、記憶部１３ａには、各種処理（例えば、エンラージ処理、額縁補正処理）を実行するためのプログラムが記憶される。また、記憶部１３ａに、各表示装置１０の情報である機種情報Ｄ１が記憶されてもよい。
【００４０】
駆動制御部１４ａは、表示部１５ａの駆動を制御する。具体的には、駆動制御部１４ａは、複数のゲート信号線を走査しながら、画像処理部１１ａから取得する分割画像データＤａを複数のデータ信号線に出力して、表示部１５ａに分割画像ａを表示させる。
【００４１】
表示部１５ａは、例えば液晶パネルによって構成される。表示部１５ａは、駆動制御部１４ａから受信する分割画像データＤａに応じた分割画像ａを、表示システム１００の表示面１１０の左上の領域（１，１）に表示する。例えば、表示部１５ａには、エンラージ処理及び額縁補正処理が施された分割画像ａが表示される。
【００４２】
転送処理部１６ａは、画像処理部１１ａにより生成される画像データＤｓを後段（下流）の表示装置１０ｂに転送する。画像データＤｓは、表示装置１０ａの出力端子Ｔｏａから出力され、表示装置１０ｂの入力端子Ｔｉｂに入力される。
【００４３】
具体的には、転送処理部１６ａは、表示システム１００に含まれる表示装置１０ｂ、１０ｃ、１０ｄのそれぞれから、表示処理の準備が完了したことを示す情報（準備完了通知）を取得した場合に、表示装置１０ｂ、１０ｃ、１０ｄに表示指示を出力する。例えば、転送処理部１６ａは、表示エリア（図３参照）の情報（表示エリア情報）を含む表示指示を表示装置１０ｂ、１０ｃ、１０ｄに出力する。
【００４４】
表示装置１０ｂの画像処理部１１ｂは、表示装置１０ａから画像データＤｓを取得すると、記憶部１３ｂ及びメモリ１２ｂに記憶する。転送処理部１６ｂは、メモリ１２ｂに記憶された画像データＤｓを後段の表示装置１０ｃに転送する。画像データＤｓは、表示装置１０ｂの出力端子Ｔｏｂから出力され、表示装置１０ｃの入力端子Ｔｉｃに入力される。
【００４５】
また画像処理部１１ｂは、表示装置１０ａから前記表示指示を取得すると、画像データＤｓから、表示装置１０ｂに対応する表示エリア情報（図３の「Ｅｂ」）に対応する画像データ（分割画像データ）を切り取って分割画像データＤｂを生成する。そして、画像処理部１１ｂは、生成した分割画像データＤｂを駆動制御部１４ｂに出力する。
【００４６】
駆動制御部１４ｂは、複数のゲート信号線を走査しながら、画像処理部１１ｂから受信する分割画像データＤｂを複数のデータ信号線に出力して、表示部１５ｂに分割画像ｂを表示させる。表示部１５ｂは、駆動制御部１４ｂから受信する分割画像データＤｂに応じた分割画像ｂを、表示システム１００の表示面１１０の右上の領域（１，２）に表示する。例えば、表示部１５ｂには、エンラージ処理及び額縁補正処理が施された分割画像ｂが表示される。
【００４７】
同様に、表示装置１０ｃは、表示装置１０ｂから転送される画像データＤｓを取得すると、画像データＤｓを後段の表示装置１０ｄに転送する。また表示装置１０ｃは、表示装置１０ａから前記表示指示を取得すると、画像データＤｓから表示装置１０ｃに対応する表示エリア情報（図３の「Ｅｃ」）に対応する画像データ（分割画像データ）を切り取って分割画像データＤｃを生成し、表示部１５ｃに分割画像ｃを表示させる。ここでは、表示面１１０の右下の領域（２，２）に、エンラージ処理及び額縁補正処理が施された分割画像ｃが表示される。
【００４８】
表示装置１０ｄは、表示装置１０ｃから転送される画像データＤｓを取得する。また表示装置１０ｄは、表示装置１０ａから前記表示指示を取得すると、画像データＤｓから表示装置１０ｄに対応する表示エリア情報（図３の「Ｅｄ」）に対応する画像データ（分割画像データ）を切り取って分割画像データＤｄを生成し、表示部１５ｄに分割画像ｄを表示させる。ここでは、表示面１１０の左下の領域（２，１）に、エンラージ処理及び額縁補正処理が施された分割画像ｄが表示される。
【００４９】
［画像表示処理］
以下、図５を参照しつつ、親機である表示装置１０ａおいて実行される画像表示処理の手順の一例について説明する。
【００５０】
なお、本発明は、前記画像表示処理に含まれる一又は複数のステップを実行する画像表示方法（本発明の表示方法）の発明として捉えることができる。また、ここで説明する前記画像表示処理に含まれる一又は複数のステップが適宜省略されてもよい。また、前記画像表示処理における各ステップは、同様の作用効果を生じる範囲で実行順序が異なってもよい。さらに、ここでは表示装置１０ａの制御部によって前記画像表示処理における各ステップが実行される場合を例に挙げて説明するが、他の実施形態では、複数のプロセッサーによって前記画像表示処理における各ステップが分散して実行されてもよい。
【００５１】
先ず、ステップＳ１０１において、表示装置１０ａの制御部は、画面設定が「１画面」に設定されているか否かを判定する。例えばユーザは、設定画面において画面設定の項目について、「１画面」、「２画面」、「３画面」、「４画面」のうちいずれかを選択する。画面設定が「１画面」に設定されている場合（Ｓ１０１：ＹＥＳ）、処理はステップＳ１０３に移行する。一方、画面設定が「１画面」に設定されていない場合（Ｓ１０１：ＮＯ）、例えば画面設定が「２画面」、「３画面」又は「４画面」に設定されている場合、処理はステップＳ１０２に移行する。
【００５２】
ステップＳ１０２では、前記制御部は、各入力ソースの信号状態（「信号あり」又は「信号なし」）に基づいて、マルチ画面（複数画面）に対応する画面設定を行う。具体的には、前記制御部は、各入力ソースから、信号が入力されているか（「信号あり」）又は入力されていないか（「信号なし」）を判定する。そして、前記制御部は、「信号あり」の入力ソースの数に対応するように画面設定を行う。例えば、ユーザにより画面設定が「４画面」に設定されている場合（Ｓ１０１：ＮＯ）において、前記制御部は、４つの入力ソース（ＰＣ１〜ＰＣ４）のうち「ＰＣ１」、「ＰＣ２」、「ＰＣ３」の３つの入力ソースについて「信号あり」と判定し、「ＰＣ４」の１つの入力ソースについて「信号なし」と判定した場合、画面設定を「ＰＣ１」、「ＰＣ２」、「ＰＣ３」の「３画面」に設定する。
【００５３】
ステップＳ１０３では、前記制御部は、各入力ソースの信号状態に基づいて、１画面に対応する画面設定を行う。具体的には、前記制御部は、各入力ソースから、信号が入力されているか（「信号あり」）又は入力されていないか（「信号なし」）を判定する。そして、前記制御部は、「信号あり」の入力ソースに対応するように画面設定を行う。例えば、ユーザにより画面設定が「１画面」に設定されている場合（Ｓ１０１：ＹＥＳ）において、前記制御部は、４つの入力ソース（ＰＣ１〜ＰＣ４）のうち「ＰＣ１」の入力ソースについて「信号あり」と判定し、「ＰＣ２」、「ＰＣ３」、「ＰＣ４」の入力ソースについて「信号なし」と判定した場合、画面設定を「ＰＣ１」の「１画面」に設定する。
【００５４】
次にステップＳ１０４において、前記制御部は、表示システム１００を構成する複数の表示装置１０の配置情報と機種情報とを取得する。例えば、前記制御部は、無線通信により自装置（表示装置１０ａ）に対する他の表示装置（表示装置１０ｂ、１０ｃ、１０ｄ）の位置（距離、方向）を取得する。また、前記制御部は、サーバに記憶された機種情報Ｄ１を取得する。
【００５５】
次にステップＳ１０５において、前記制御部は、画像データＤｓを生成するための補正値を算出する。例えば、前記制御部は、機種情報Ｄ１に基づいて、表示装置１０ｂ、１０ｃ、１０ｄのそれぞれの表示エリアを算出する。また前記制御部は、ステップＳ１０２の処理により設定した画面設定の内容と、ステップＳ１０４の処理により取得した表示装置の配置（距離、方向などの配置位置）と、当該表示装置の台数（ここでは３台）とに基づいて、エンラージ処理における拡大率と、額縁補正処理における補正値（額縁幅）とを算出する。
【００５６】
次にステップＳ１０６において、前記制御部は、前記補正値に基づいて映像信号Ｄｖから画像データＤｓを生成する。例えば、図４に示したように、前記制御部は、映像信号Ｄｖから、エンラージ処理及び額縁補正処理を施した分割画像データＤａ、Ｄｂ、Ｄｃ、Ｄｄからなる画像データＤｓを生成する。ステップＳ１０４〜Ｓ１０６は、本発明の画像処理ステップの一例である。
【００５７】
次にステップＳ１０７において、前記制御部は、生成した画像データＤｓを、親機の表示装置１０ａに接続された子機の表示装置１０ｂに転送する。画像データＤｓは、表示装置１０ｂ、１０ｃ、１０ｄに順に転送される。各表示装置１０ｂ、１０ｃ、１０ｄは、画像データＤｓに対応する分割画像の表示処理の準備が完了すると準備完了通知を表示装置１０ａに送信する。
【００５８】
ステップＳ１０８において、前記制御部は、各表示装置１０ｂ、１０ｃ、１０ｄから前記準備完了通知を取得すると、ステップＳ１０９において、各表示装置１０ｂ、１０ｃ、１０ｄに前記表示指示を出力する。前記表示指示には、前記表示エリア情報（図３参照）が含まれる。
【００５９】
最後に、ステップＳ１１０において、前記制御部は、画像データＤｓから自装置（表示装置１０ａ）に対応する分割画像データＤａを取得し、分割画像データＤａに応じた分割画像ａを、表示システム１００の表示面１１０の左上の領域（１，１）に表示する。ステップＳ１０７〜Ｓ１０９は、本発明の転送ステップの一例である。
【００６０】
次に、図６を参照しつつ、子機である表示装置１０ｂおいて実行される画像表示処理の手順の一例について説明する。他の子機（表示装置１０ｃ、１０ｄ）についても同様である。
【００６１】
ステップＳ２０１において、表示装置１０ｂの制御部は、親機である表示装置１０ａから画像データＤｓを取得したか否かを判定し、画像データＤｓを取得すると、処理はステップＳ２０２に移行する。
【００６２】
ステップＳ２０２において、前記制御部は、画面設定が「１画面」に設定されているか否かを判定する。画面設定が「１画面」に設定されている場合（Ｓ２０２：ＹＥＳ）、処理はステップＳ２０４に移行する。一方、画面設定が「１画面」に設定されていない場合（Ｓ２０２：ＮＯ）、例えば画面設定が「２画面」、「３画面」又は「４画面」に設定されている場合、処理はステップＳ２０３に移行する。ステップＳ２０３において、前記制御部は、マルチ画面の設定を解除（ＯＦＦ）し、画面設定を「１画面」に設定する。これにより、各子機では、画面設定が「１画面」に設定され、一つの入力ソースからの信号を受け付ける。
【００６３】
次にステップＳ２０４において、前記制御部は、表示装置１０ａから取得した画像データＤｓを後段の表示装置１０ｃに転送する。
【００６４】
次にステップＳ２０５において、前記制御部は、画像データＤｓに対応する画像の表示処理の準備が完了すると、前記準備完了通知を表示装置１０ａに送信する。
【００６５】
次にステップＳ２０６において、前記制御部は、表示装置１０ａから前記表示指示を取得すると、ステップＳ２０７において、前記表示指示に含まれる前記表示エリア情報、例えば基準となるＸ座標及びＹ座標（表示開始位置）と基準座標からの高さ及び幅の情報（図３の「Ｅｂ」）に基づいて、画像データＤｓから自装置（表示装置１０ｂ）に対応する分割画像データＤｂを取得し、分割画像データＤｂに応じた分割画像ｂを、表示システム１００の表示面１１０の右上の領域（１，２）に表示する。
【００６６】
表示装置１０ｃ、１０ｄにおいても同様の処理が行われる。これにより、分割画像ｃが、表示システム１００の表示面１１０の右下の領域（２，２）に表示され、分割画像ｄが、表示システム１００の表示面１１０の左下の領域（２，１）に表示される。
【００６７】
本実施形態に係る表示システム１００では、マルチディスプレイを構成する複数の表示装置１０のうちの特定（親機）の表示装置１０ａが、映像出力装置２００から出力される映像信号Ｄｖを受信して、当該映像信号Ｄｖに対して、マルチディスプレイを構成する複数の表示装置１０の台数、配置状態（配置位置）などの配置情報と、各表示装置１０の大きさ（画素数）、額縁の幅などの機種情報とに基づいて、表示装置１０ごとの画像（分割画像）を生成する。そして、表示装置１０ａは、生成した画像データＤｓを下流（子機）の表示装置１０に転送して、分割画像を表示させる。これにより、複数の表示装置１０の配置状態に変更が生じた場合であっても、表示装置１０ａが変更後の配置状態に応じた画像データＤｓを生成することができる。すなわち、映像出力装置２００から変更後の映像信号Ｄｖを取得する必要がない。
【００６８】
またユーザは、エンラージ処理及び額縁補正処理の設定、表示装置の台数（分割数）などの情報を設定するだけで、配置状態に応じた画像データＤｓが生成されるため、利便性を向上させることができる。このため、表示システム１００（マルチディスプレイシステム）の運用性も向上する。
【００６９】
本発明に係る表示システム１００は、上述の構成に限定されない。
【００７０】
例えば、表示システム１００は、額縁補正処理が省略されてもよい。例えば、図７に示すように、複数の入力ソースである４台の映像出力装置２００（ＰＣ１〜ＰＣ４）のそれぞれから映像信号Ｄｖ１〜Ｄｖ４が表示装置１０ａに入力される場合において（図７の（ａ）参照）、各映像信号Ｄｖ１〜Ｄｖ４に対応するそれぞれの画像が、各表示装置１０ａ〜１０ｄに表示可能であり、隣接する表示装置１０の境界に重ならない場合には（図７の（ｂ）参照）、額縁補正処理は不要である。この場合は、表示装置１０ａは、切り取り画像Ｌａ、Ｌｂ、Ｌｃ、Ｌｄのそれぞれに対応する分割画像データＤａ、Ｄｂ、Ｄｃ、Ｄｄを生成し、分割画像データＤａ、Ｄｂ、Ｄｃ、Ｄｄからなる画像データＤｓを生成する。
【００７１】
また例えば、図８に示すように、複数の入力ソースである３台の映像出力装置２００（ＰＣ１、ＰＣ２、ＰＣ４）のそれぞれから映像信号Ｄｖ１、Ｄｖ２、Ｄｖ４が表示装置１０ａに入力され、１台の映像出力装置２００（ＰＣ３）が無信号になった場合、１台の表示装置１０に何も表示されない表示装置１台分（１表示画面分）に相当する空白領域が生じてしまう。そこで、このようなケースでは、ユーザは、メニュー画面において、「センター表示」の設定、「空白領域をなくす」設定、「設定なし」のいずれかを選択可能な構成としてもよい。例えば、ユーザが「センター表示」に設定した場合、表示装置１０ａは、映像信号Ｄｖ２の画像「い」のＹ座標の表示位置を中央寄せのセンター表示に設定する（図８の（ｂ）参照）。そして、表示装置１０ａは、表示装置１０ｂ、１０ｃの境界部分において額縁補正処理を行って（図８の（ｃ）参照）、分割画像データＤａ、Ｄｂ、Ｄｃ、Ｄｄからなる画像データＤｓを生成する（図８の（ｄ）参照）。
【００７２】
また図８に示す構成において、例えば、ユーザが「空白領域をなくす」に設定した場合、表示装置１０ａは、前記額縁補正処理後に映像信号Ｄｖ２の画像「い」をＹ方向に拡大する（図９の（ｃ）参照）。そして、表示装置１０ａは、分割画像データＤａ、Ｄｂ、Ｄｃ、Ｄｄからなる画像データＤｓを生成する（図９の（ｄ）参照）。
【００７３】
このように、複数の映像信号Ｄｖからなる画像を複数の表示装置１０に表示させたときに複数の表示装置１０のうち少なくともいずれか一つにおいて表示画面に相当する空白領域が生じる場合に、画像処理部１１ａは、前記空白領域を生じさせない処理を実行してもよい。そして、画像処理部１１ａは、複数の映像信号Ｄｖのうちいずれかの映像信号Ｄｖに対応する画像の一部が前記空白領域に重なるように、前記画像を拡大する処理又は前記画像の表示位置を変更する処理を実行してもよい。
【００７４】
また、図１０に示すように、横方向に３台かつ縦方向に２台の表示装置１０ａ〜１０ｆが配置されたマルチディスプレイにおいて、複数の入力ソースである４台の映像出力装置２００（ＰＣ１〜ＰＣ４）のそれぞれから映像信号Ｄｖ１〜Ｄｖ４が表示装置１０ａに入力される場合には、表示装置１０ａは以下のようにして画像データＤｓを生成する。
【００７５】
例えば、図４の（ｂ）に示すように、画像処理部１１ａは、６台の表示装置１０ａ〜１０ｆの配置状態に基づいて、映像信号Ｄｖ１〜Ｄｖ４に対応する入力画像データをエンラージ処理する（図１０の（ｂ））。また、画像処理部１１ａは、隣接する表示装置１０の境界に重なる画像を額縁補正する（図１０の（ｃ））。そして、表示装置１０ａは、分割画像データＤａ、Ｄｂ、Ｄｃ、Ｄｄ、Ｄｅ、Ｄｆからなる画像データＤｓを生成する（図１０の（ｄ）参照）。ここで、図１０に示す構成では、１画面で表示可能なＸ方向の入力画像数（入力ソース数）が「２」であるのに対して、Ｘ方向に並べられた表示装置１０の数が「３」となっている。このため、各表示装置１０において、分割画像の表示倍率を３／２倍に設定する必要がある。この場合、表示装置１０ａは、子機の各表示装置１０ｂ〜１０ｆに、前記表示倍率の情報を含む表示指示を送信する。このように、前記表示倍率は、１画面で表示可能な特定方向の入力画像数（入力ソース数）に対する、前記特定方向に並べられた表示装置の数の割合で算出される。
【００７６】
上述の実施形態では、複数の表示装置１０がデイジーチェーン接続された構成を例に挙げたが、本発明はこれに限定されない。例えば、本発明は、複数の表示装置１０のうち所定の表示装置１０（親機）に映像信号Ｄｖが入力され、他の一又は複数の表示装置１０（子機）が個別に親機の表示装置１０に接続され、親機の表示装置１０が子機の各表示装置１０に対して個別に画像データＤｓ及び前記表示指示を出力する構成であってもよい。
【符号の説明】
【００７７】
１０      ：表示装置
１０ａ    ：表示装置
１１ａ    ：画像処理部
１３ａ    ：記憶部
１４ａ    ：駆動制御部
１５ａ    ：表示部
１６ａ    ：転送処理部
１００    ：表示システム
２００    ：映像出力装置
【図１】
2020148991.tif 000003
【図２】
2020148991.tif 000004
【図３】
2020148991.tif 000005
【図４】
2020148991.tif 000006
【図５】
2020148991.tif 000007
【図６】
2020148991.tif 000008
【図７】
2020148991.tif 000009
【図８】
2020148991.tif 000010
【図９】
2020148991.tif 000011
【図１０】
2020148991.tif 000012